(57)【要約】【課題】機械室床の穴あけ作業において発生する屑を受ける装置を提供することである。【解決手段】実施形態のエレベータ機械室床の穴あけ作業用の屑受装置は、ビームと、架台と、支持部材と、屑受容器と、を備える。ビームは、一対のガイドレールに架設されている。架台は、ビームに配置される。支持部材は、架台に設けられている。屑受容器は、支持部材に支持されている。この結果、機械室床の穴あけ作業において発生する屑を受ける装置を提供することができる。【選択図】        図１
2012188195.tif 000002
【特許請求の範囲】
【請求項１】
エレベータの機械室の床に穴あけ作業をする際に発生する屑を受ける装置において、
一対のガイドレールに架設されるビームと、
前記ビームに配置される架台と、
前記架台に設けられる支持部材と、
前記支持部材に支持される屑受容器と、
を備える、ことを特徴とするエレベータ機械室床の穴あけ作業用の屑受装置。
【請求項２】
前記架台は、前記ビームに前記ビームの架設方向に移動可能に配置される、
ことを特徴とする請求項１に記載のエレベータ機械室床の穴あけ作業用の屑受装置。
【請求項３】
前記架台には、遠隔操作により前記架台を前記ビームに対して移動させる移動装置が設けられる、
ことを特徴とする請求項２に記載のエレベータ機械室床の穴あけ作業用の屑受装置。
【請求項４】
前記支持部材は、前記架台と前記機械室床との対向する方向に伸縮可能である、
ことを特徴とする請求項１〜３のいずれか１項に記載のエレベータ機械室床の穴あけ作業用の屑受装置。
【請求項５】
前記支持部材には、遠隔操作により前記支持部材を伸縮させる伸縮装置が設けられる、
ことを特徴とする請求項４に記載のエレベータ機械室床の穴あけ作業用の屑受装置。
【発明の詳細な説明】
【技術分野】
【０００１】
本発明の実施形態は、エレベータの機械室の床に穴あけ作業をする際に発生する屑を受ける装置に関する。
【背景技術】
【０００２】
既設のエレベータにおいては、機械室に設置されている巻上機などを交換すると、巻上機に巻き掛けられているロープの幅やロープの太さ・本数が変わる場合がある。この場合においては、穴あけ作業により、機械室床の既設の開口部を大きく開けたり、あるいは、新たに開口部を開けたりする必要がある。穴あけ作業においては、床の削り屑が発生したり、冷却水を使用したりする。このために、開口部の下方において、床の削り屑や冷却水を受けて、床の削り屑や冷却水が開口部を通って昇降路内に落ちるのを防ぐ必要がある。
【先行技術文献】
【特許文献】
【０００３】
【特許文献１】特開平７−８９６８１号公報
【発明の概要】
【発明が解決しようとする課題】
【０００４】
本発明が解決しようとする課題は、機械室床の穴あけ作業において発生する屑を受ける装置を提供することである。
【課題を解決するための手段】
【０００５】
実施形態のエレベータ機械室床の穴あけ作業用の屑受装置は、ビームと、架台と、支持部材と、屑受容器と、を備える。ビームは、一対のガイドレールに架設される。架台は、ビームに配置される。支持部材は、架台に設けられる。屑受容器は、支持部材に支持される。
【図面の簡単な説明】
【０００６】
【図１】図１は、実施形態に係るエレベータ機械室床の穴あけ作業用の屑受装置の概略構成例を示す図である。
【図２】図２は、実施形態に係るエレベータ機械室床の穴あけ作業用の屑受装置の概略作用例を示す図である。
【発明を実施するための形態】
【０００７】
「実施形態」
以下、本実施形態に係るエレベータ機械室床の穴あけ作業用の屑受装置を図面に基づいて詳細に説明する。
【０００８】
図中における符号１は、エレベータの機械室２の床である。前記床１は、前記機械室２と昇降路３との間に設けられている。前記機械室２内には、巻上機（図示せず）などが配置されている。前記昇降路３内には、一対のガイドレール４が敷設されている。前記床１には、メインロープ（図示せず）を前記機械室２と前記昇降路３との間を通すための開口部５設けられている。なお、図では、前記開口部５は、１箇所しか図示されていないが、実際には、前記開口部５は、２箇所以上設けられている。
【０００９】
実施形態のエレベータ機械室床の穴あけ作業用の屑受装置（以下、単に「屑受装置」と称する）６は、ビーム７と、架台８と、支持部材９と、屑受容器１０と、を備える。
【００１０】
前記ビーム７は、前記一対のガイドレール４に架設されている。すなわち、前記ビーム７の両端は、前記一対のガイドレール４に取付部材（図示せず）により着脱可能に取り付けられている。
【００１１】
前記架台８は、前記ビーム７の架設方向（矢印Ａ方向）に移動可能に配置されている。前記架台８には、遠隔操作により前記架台８を前記ビーム７に対して移動させる移動装置１１が設けられている。
【００１２】
前記移動装置１１は、たとえば、送りねじ機構である。前記移動装置１１は、ねじ軸１２と、モータ１３と、から構成されている。前記ねじ軸１２は、回転（矢印Ｂ参照）することにより前記架台８を前記ビーム７に対して移動させる。前記モータ１３は、前記ねじ軸１２を回転させる。
【００１３】
前記支持部材９は、たとえば、シリンダ１４と、ピストンロッド１５と、から構成されている油圧シリンダである。前記支持部材９の前記シリンダ１４は、前記架台８に設けられている。前記支持部材９の前記ピストンロッド１５は、前記架台８と前記床１との対向する方向（矢印Ｃ方向）に伸縮可能である。前記支持部材９には、遠隔操作により前記支持部材９の前記ピストンロッド１５を伸縮させる伸縮装置１６が設けられている。なお、前記支持部材９としては、この例の油圧シリンダのほかに、送りねじを使用するパンタグラフジャッキでも良い。この送りねじを使用するパンタグラフジャッキは、前記移動装置１１とほぼ同様に、送りねじ機構であって、ねじ軸と、モータと、伸縮するパンタグラフ機構と、から構成されている。
【００１４】
前記伸縮装置１６は、油圧ポンプ１７と、方向切替電磁弁１８と、油タンク（油溜）１９と、圧油送りホース２０と、から構成されている。
【００１５】
前記屑受容器１０は、前記支持部材９の前記ピストンロッド１５の先端に支持されている。前記屑受容器１０は、一面（上面）が開口し、他の５面（下面、前面、後面、左面、右面）が閉塞する。前記屑受容器１０の下面閉塞部の中央が前記支持部材９の前記ピストンロッド１５の先端に支持されている。前記屑受容器１０の上面開口部が前記床１に対向する。
【００１６】
実施形態の屑受装置６は、以上のごとき構成からなり、以下、その作用について説明する。
【００１７】
まず、通常の点検運転などで、乗りかご（図示せず）の上から、ガイドレール４の頂部に屑受装置６を装備する。このとき、屑受容器１０は、ガイドレール４の端に配置する。すなわち、作業員が、乗りかごの上部に乗って、あるいは、最上階の一対のガイドレール４に作った足場（図示せず）に乗って、ビーム７の両端を一対のガイドレール４に取付部材により着脱可能に取り付ける。このようにして、屑受装置６を、機械室２の床１と、最上階における一対のガイドレール４との間に装備する。このとき、屑受装置６の架台８および支持部材９および屑受容器１０は、図２中の二点鎖線に示す状態にある。
【００１８】
つぎに、乗りかご（図示せず）を仮固定のブラケット（図示せず）を介して一対のガイドレール４に仮固定する。つづいて、床１の開口部５を通って機械室２内の巻上機と乗りかごとの間に張設されているメインロープを外す。
【００１９】
それから、乗場から遠隔操作で、移動装置１１、伸縮装置１６を操作し、屑受容器１０を機械室２の床１の開口部５の直下に移動させる。すなわち、モータ１３を駆動させて、ねじ軸１２を矢印Ｂ方向に回転させる。すると、架台８がビーム７に沿って矢印Ａ方向に移動する。屑受容器１０が床１の開口部５の下に位置した時点で、モータ１３の駆動を停止させる。
【００２０】
つづいて、油圧ポンプ１７を駆動させる。すると、支持装置９のピストンロッド１５が矢印Ｃ方向に伸張する。屑受容器１０が床１の下面に達して、開口部５の下を覆った時点で、油圧ポンプ１７の駆動を停止させる。このとき、屑受装置６の架台８および支持部材９および屑受容器１０は、セット状態すなわち図２中の実線に示す状態にある。
【００２１】
この状態において、穴あけ作業により、機械室２の床１の既設の開口部５を大きく開けたり、あるいは、新たに開口部（図示せず）を開けたりする。この穴あけ作業により発生する床１の削り屑、また、穴あけ作業により使用した冷却水は、開口部５を通って、屑受容器１０中に収容される。この結果、床１の削り屑や冷却水が開口部５を通って昇降路３内に落ちるのを防ぐことができる。
【００２２】
穴あけ作業が完了した時点で、乗場から遠隔操作で、移動装置１１、伸縮装置１６を操作し、屑受容器１０を機械室２の床１の開口部５の直下からガイドレール４の端に移動させる。すなわち、油圧ポンプ１７を駆動させて、支持装置９のピストンロッド１５を矢印Ｃ方向に短縮させて、屑受容器１０を床１の下面から離す。つぎに、モータ１３を駆動させて、ねじ軸１２を矢印Ｂ方向に回転させて、架台８をビーム７に沿って矢印Ａ方向に移動させる。そして、屑受装置６の架台８および支持部材９および屑受容器１０を図２中の二点鎖線に示す状態に戻す。
【００２３】
そして、大きく開けた既設の開口部５あるいは新設の開口部にメインロープを通して機械室２内の巻上機と乗りかごとの間に張設する。つぎに、乗りかごを一対のガイドレール４に仮固定している仮固定のブラケットを取り外して、エレベータを復帰させる。それから、ビーム７の両端を一対のガイドレール４から取り外して、屑受装置６を機械室２の床１と最上階における一対のガイドレール４との間から撤去する。
【００２４】
なお、穴あけ作業の途中において、屑受容器１０中の床１の屑や冷却水が一杯になれば、前記の戻し作業を行い、屑受容器１０中の床１の屑や冷却水を排出する。それから、再び前記のセット状態にセットする。
【００２５】
実施形態の屑受装置６は、以上のごとき構成、作用からなり、以下、その効果について説明する。
【００２６】
実施形態の屑受装置６は、穴あけ作業前に、機械室２の床１と最上階における一対のガイドレール４との間に装備することにより、ビーム７、架台８、支持部材９を介して一対のガイドレール４に支持されている屑受容器１０が開口部５の周囲を覆うことができる。この結果、実施形態の屑受装置６は、作業員が屑受容器１０を支持して開口部５の周囲を覆う必要が無い。これにより、実施形態の屑受装置６は、安全にかつ容易に、穴あけ作業において発生する床１の屑や冷却水を処理することができる。
【００２７】
実施形態の屑受装置６は、架台８がビーム７に移動可能に配置されているので、架台８をビーム７に沿って移動させることができる。この結果、実施形態の屑受装置６は、穴あけ位置の変更などの場合に発生する段取り替えの作業が低減される。現地作業が低減されることにより、穴あけ作業の時間が短縮される。
【００２８】
実施形態の屑受装置６は、支持部材９が伸縮可能であるから、屑受容器１０の高さを調整することができる。この結果、実施形態の屑受装置６は、一対のガイドレール４に架設するビーム７の取付高さの位置決めが簡略化される。また、エレベータの定格速度などにより異なる昇降路３の頂部隙間に柔軟に対応することができ、多機種のエレベータに使用することができる。
【００２９】
実施形態の屑受装置６は、移動装置１１および伸縮装置１６により、遠隔操作で、架台８をビーム７に沿って移動させることができ、かつ、屑受容器１０の高さを調整することができる。この結果、実施形態の屑受装置６は、より安全にかつより容易に、穴あけ作業において発生する床１の屑や冷却水を処理することができる。
【００３０】
「変形例」
なお、前記の実施形態においては、移動装置１１および伸縮装置１６により、遠隔操作で、架台８をビーム７に沿って移動させ、かつ、屑受容器１０の高さを調整するものである。ところが、移動装置１１および伸縮装置１６を使用せずに、手動操作で、架台８をビーム７に沿って移動させ、かつ、屑受容器１０の高さを調整するものであっても良い。手動操作で、架台８をビーム７に沿って移動させ、かつ、屑受容器１０の高さを調整する装置や機構は、既存の装置や機構から任意に選択することができる。
【００３１】
また、前記の実施形態においては、架台８がビーム７に移動可能に配置されているものである。ところが、架台８がビーム７に固定されていても良い。
【００３２】
さらに、前記の実施形態においては、支持部材９が伸縮可能である。ところが、支持部材９が固定であっても良い。
【００３３】
以上で説明した実施形態、変形例に係るエレベータ機械室床の穴あけ作業用の屑受装置によれば、ビーム、架台、支持部材を介してガイドレールに支持されている屑受容器により床の削り屑や冷却水を受けて、床の削り屑や冷却水が開口部を通って昇降路内に落ちるのを防ぐことができる。
【００３４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３５】
１  床（機械室床）
２  機械室
３  昇降路
４  ガイドレール
５  開口部
６  屑受装置
７  ビーム
８  架台
９  支持部材
１０  屑受容器
１１  移動装置
１２  ねじ軸
１３  モータ
１４  シリンダ
１５  ピストンロッド
１６  伸縮装置
１７  油圧ポンプ
１８  方向切替電磁弁
１９  油タンク
２０  圧油送りホース
【図１】
2012188195.tif 000003
【図２】
2012188195.tif 000004